(57)【要約】【課題】所定の特定画像が存在する被写体画像を表示させないようにすること。【解決手段】ユーザーが、メモリカードＩ／Ｆ１１にメモリカード１００を装着して複数の被写体画像データを取得させ、変顔、半目、目つぶり等の顔表情を特定画像として設定すると、顔表情検出部２２は、複数の被写体画像データ中に特定画像が存在するか否かを検出し、特定画像が存在する場合は、プロテクト部２３は、被写体画像の再生表示を禁止するプロテクト情報を当該被写体画像データに付与する。【選択図】図２
2014207602.tif 000002
【特許請求の範囲】
【請求項１】
複数の被写体画像を取得する画像取得手段と、
前記画像取得手段によって取得された前記複数の被写体画像を表示する表示手段と、
前記複数の被写体画像の少なくとも一部の被写体画像に存在する特定画像を設定する特定画像設定手段と、
前記複数の被写体画像の各々に前記特定画像が存在するか否かを検出する検出手段と、
前記検出手段によって前記特定画像が検出された被写体画像に、前記表示手段による再生を禁止するプロテクト情報を付与するプロテクト手段と、を備えることを特徴とする画像再生装置。
【請求項２】
請求項１に記載の画像再生装置において、
前記特定画像設定手段は、変顔を表す顔表情データ、半目を表す顔表情データ及び目つぶりを表す顔表情データの少なくとも一つを含む複数の顔表情データを記憶する顔表情データ記憶手段と、前記顔表情データ記憶手段に記憶された複数の顔表情データに基づく顔表情画像を前記特定画像として選択する選択手段とを有し、
前記検出手段は、前記選択手段によって選択された前記顔表情データに基づく顔表情画像が前記複数の被写体画像の各々に存在するか否かを検出することを特徴とする画像再生装置。
【請求項３】
請求項１に記載の画像再生装置において、
前記特定画像設定手段は、前記表示手段に表示された前記被写体画像中の所定の部分画像を前記特定画像として設定し、
前記検出手段は、前記所定の部分画像が前記複数の被写体画像の各々に存在するか否かを検出することを特徴とする画像再生装置。
【請求項４】
請求項１〜３のいずれか１項に記載の画像再生装置において、
前記表示手段の観賞者を撮像し観賞者画像を生成する観賞者撮像手段と、
前記観賞者画像中の前記観賞者の顔と、前記プロテクト情報が付与された被写体画像中の被写体人物の顔とが同一であるか否かを判定する顔判定手段と、
前記顔判定手段によって前記観賞者が前記被写体人物と同一であると判定された場合は、前記プロテクト情報が付与されたにもかかわらず前記被写体画像について再生を許可する再生許可手段と、を更に備えることを特徴とする画像再生装置。
【請求項５】
請求項１〜３のいずれか１項に記載の画像再生装置において、
撮影者の顔画像を取得し当該顔画像を登録する登録手段と、
被写体画像を観賞する観賞者を撮像し観賞者画像を生成する観賞者撮像手段と、
前記観賞者画像中の前記観賞者の顔と前記登録手段に登録された前記撮影者の顔とが同一であるか否かを判定する顔判定手段と、
前記顔判定手段によって前記観賞者が前記撮影者と同一であると判定された場合は、前記プロテクト情報が付与されたにもかかわらず前記被写体画像について再生を許可する再生許可手段と、を更に備えることを特徴とする画像再生装置。
【発明の詳細な説明】
【技術分野】
【０００１】
本発明は、画像データの再生表示を行う画像再生装置に関する。
【背景技術】
【０００２】
撮影された画像データをディスプレイに再生表示して皆で観賞する際に、被写体人物が変な顔をしていたり、目をつぶっていたり、そのままでは他人には見せたくない画像も混じっていることがある。画像処理機能を有し、画像中の被写体人物に対して画像補正を施し、処理後の画像をディスプレイに表示する表示装置が知られている（例えば、特許文献１参照）。
【先行技術文献】
【特許文献】
【０００３】
【特許文献１】特開２０１０−１６９９５４号公報
【発明の概要】
【発明が解決しようとする課題】
【０００４】
ところが、画像処理機能には限界があり、画像中の被写体人物に対して画像補正を施したとしても、依然として他人には見せたくない画像は残るという問題がある。
【課題を解決するための手段】
【０００５】
請求項１の発明による画像再生装置は、複数の被写体画像を取得する画像取得手段と、前記画像取得手段によって取得された前記複数の被写体画像を表示する表示手段と、前記複数の被写体画像の少なくとも一部の被写体画像に存在する特定画像を設定する特定画像設定手段と、前記複数の被写体画像の各々に前記特定画像が存在するか否かを検出する検出手段と、前記検出手段によって前記特定画像が検出された被写体画像に、前記表示手段による再生を禁止するプロテクト情報を付与するプロテクト手段と、を備えることを特徴とする。
【発明の効果】
【０００６】
本発明の画像再生装置によれば、被写体画像中に所定の特定画像が存在する場合には当該被写体画像をディスプレイに表示させないようにすることができる。
【図面の簡単な説明】
【０００７】
【図１】本発明の実施の形態に係る画像再生装置の外観を模式的に示す図である。
【図２】第１の実施の形態に係る画像再生装置の主要部の構成を示すブロック図である。
【図３】第１の実施の形態に係る画像再生装置のプロテクト動作を示すフローチャートである。
【図４】本発明の実施の形態に係る画像再生装置の再生表示動作を示すフローチャートである。
【図５】第２の実施の形態に係る画像再生装置の主要部の構成を示すブロック図である。
【図６】第２の実施の形態に係る画像再生装置のプロテクト動作を示すフローチャートである。
【発明を実施するための形態】
【０００８】
−第１の実施の形態−
以下、本発明の第１の実施の形態による画像再生装置の構成について、図面を参照しながら説明する。
本実施の形態による画像再生装置はデジタルフォトフレームであり、デジタルフォトフレームは、ユーザーがこれを操作して観賞者に再生画像を見せるのに適したものである。なお、ユーザーとは、一般には、被写体画像の撮影者または撮影された被写体人物である。
【０００９】
図１を参照すると、デジタルフォトフレーム１は、その側面にメモリカード１００用のメモリカードインターフェイス（メモリカードＩ／Ｆ）１１を有し、その前面に液晶や有機ＥＬを用いたディスプレイ１２、観賞者撮像用カメラ１３、電源スイッチ１４、操作部材１５を有する。
【００１０】
メモリカードＩ／Ｆ１１は、メモリカード１００が装着されると、メモリカード１００とデジタルフォトフレーム１のバッファメモリ（不図示）との間で画像ファイルや画像データの転送を行う、画像取得手段である。
【００１１】
ディスプレイ１２は、タッチパネル式の画面を有し、その画面が画像表示領域１２ａとコントロールバー表示領域１２ｂとに分かれている。画像表示領域１２ａでは、静止画データを再生表示し、コントロールバー表示領域１２ｂは、それに表示される各種のボタンをユーザーが操作することによって、画像表示領域１２ａに表示される画像の明るさや画質をコントロールすることが可能である。
観賞者撮像用カメラ１３は、ディスプレイ１２の画面を見つめる観賞者の顔を撮影するためのカメラである。
【００１２】
操作部材１５は、ユーザーが操作することによって、画像表示領域１２ａに画像を再生表示させる再生モードを開始させたり、画像表示領域１２ａの表示モード、例えばサムネイル表示モードと、静止画を手動によって１枚１枚再生表示するスチルモードと、複数枚の静止画を順次自動的に再生するスライドショーモードとを切り換えたり、画像表示領域１２ａに表示された画像に画像処理を施すための部材である。
【００１３】
図２は、デジタルフォトフレーム１の主要部の構成を示す。デジタルフォトフレーム１は、図１で示したメモリカードＩ／Ｆ１１、ディスプレイ１２、観賞者撮像用カメラ１３、電源スイッチ１４、操作部材１５の他に、画像記録部１６、バッファメモリ１７、ＣＰＵ２０、バス３０及びＲＯＭ３１を備える。これらの各ブロックは、バス３０を介して接続されている。なお、操作部材１５には、特定の顔表情、例えば変顔、半目、目つぶり、大笑い顔、泣き顔、怒り顔等の顔表情を選ぶための選択部１５ａが含まれている。
【００１４】
画像記録部１６は、不揮発性のメモリ１６ａを有し、メモリカードＩ／Ｆ１１を介して入力した画像データを記録する。バッファメモリ１７は、観賞者撮像用カメラ１３によって撮影された観賞者の顔画像データを一時的に記憶する。また、バッファメモリ１７は、画像ファイルや画像データを一時的に記憶する。
【００１５】
ＣＰＵ２０は、顔検出部２１、顔表情検出部２２、プロテクト部２３、判別部２４、顔判定部２５、再生許可部２６、顔登録指示部２７を含み、これらの機能を用いて各ブロックとの間で電気信号或いはデータの授受を行うことにより、各種の演算や、不図示のメモリに記憶されているプログラムを実行する。
【００１６】
ＲＯＭ３１は、顔データ記憶部３２、顔表情データ記憶部３３、顔登録データ記憶部３４を含む。顔データ記憶部３２には、顔の輪郭のデータや、顔のパーツ、例えば、眉、眼、鼻、唇の形状に関する特徴点のデータが予め記憶されている。顔表情データ記憶部３３には、後に詳述するように、種々の顔パーツデータが記憶されている。顔登録データ記憶部３４には、所定の人物の顔について登録された顔画像データが記憶されている。
【００１７】
ＣＰＵ２０の機能について以下に説明する。
顔検出部２１は、メモリカードＩ／Ｆ１１から画像記録部１６のメモリ１６ａへ入力された被写体画像データ中の被写体人物について顔検出を行う。顔検出部２１は、顔データ記憶部３２に予め記憶されている眉、眼、鼻、唇の形状に関する特徴点のデータを用いて画像データ中の被写体人物の顔を検出する。検出された顔領域の画像データは、バッファメモリ１７に一時的に記憶される。
【００１８】
顔検出には、例えば、特開２００１−１６５７３号公報に開示されている検出手法を用いることができる。この検出手法は、入力画像中から特徴点を抽出して被写体の顔領域、顔の大きさ等を検出するものである。特徴点としては、眉、眼、鼻、唇の各端点、および顔の輪郭点、例えば頭頂点や顎の下端点が挙げられる。
【００１９】
他の顔検出としては、例えば、特開２００５−１５７６７９号公報に開示されている検出手法を用いることができる。この検出手法は、先ず、入力画像中の２画素間の輝度差を特徴量として学習しておき、その特徴量に基づいて入力画像中の所定領域に顔が存在するか否かを示す推定値を算出し、推定値が１以上のときにその所定領域に顔が存在すると判別するものである。
【００２０】
顔表情の検出について説明する。
顔表情データ記憶部３３には、観賞者に見せたくない多数の顔表情候補データ、例えば、変顔、半目、目つぶり、大笑い顔、泣き顔、怒り顔等に関する顔パーツデータが予め記憶されている。操作部材１５の選択部１５ａは、被写体画像の再生に先立って観賞者に見せたくない顔表情を顔表情データ記憶部３３に記憶された顔表情候補データの中から少なくとも１つ選択する。具体的には、ユーザーは、操作部材１５を操作して、画像表示領域１２ａに顔表情候補の名称である「変顔」、「半目」、「目つぶり」、「大笑い顔」、「泣き顔」、「怒り顔」等が記載されたリストを表示させ、その中から選択部１５ａによって、観賞者に見せたくない顔表情を少なくとも１つ選択する。このように、顔表情データ記憶部３３の顔表情候補データの中から1つ以上の顔表情を選択部１５ａによって選択することが特定画像を設定するということである。
【００２１】
顔表情の中で、例えば、変顔とは意識的或いは無意識に顔のパーツを歪めたり大きさを変えることによって生じる顔表情である。半目とは瞼がほぼ半分閉じられた目であり、目つぶりとは瞼がほぼ完全に閉じられた目であり、いずれもその人物の通常時の顔ではない。従って、これらの変顔、半目、目つぶり等は、本人にとっては他人に見せたくない顔画像である。
【００２２】
顔表情検出部２２は、顔検出部２１により検出された顔領域の画像データをバッファメモリ１７から読み出し、その顔領域の画像データ（顔画像データ）を、選択部１５ａによって選択された顔パーツデータ、すなわち特定画像と比較することにより、被写体画像データ中に特定画像が存在するか否かを検出し、存在した場合には検出信号をＣＰＵ２０へ送出する。
【００２３】
具体例を挙げると、変顔を検出するためには、目、眉、口、頬のように、歪めたり大きさを変えることができる顔パーツに注目する。顔表情検出部２２は、顔領域の画像データが選択部１５ａによって選択された顔パーツデータと比べて変形の一致度が所定値以上である状態を変顔として検出する。顔表情検出部２２は、変顔を検出すると、検出信号をＣＰＵ２０へ送出する。
【００２４】
また、半目または目つぶりを検出するためには、顔表情検出部２２は、被写体人物の顔領域の画像データ中の目の画像データが、顔表情データ記憶部３３に予め記憶されている眼開閉データと比較して一致の度合いが所定値以上であれば、被写体人物の半目または目つぶりを検出する。顔表情検出部２２は、半目または目つぶりを検出すると、検出信号をＣＰＵ２０へ送出する。
【００２５】
眼の開閉検出としては、例えば、特開２０００−３４７２７７号公報に開示されている検出手法を用いることができる。この検出手法は、眼の白色部分の面積を算出し、その面積の大小によって眼が開いているか閉じているかを検出するものであり、その中間の開閉状態も検出できる。
【００２６】
プロテクト部２３は、検出信号が顔表情検出部２２からＣＰＵ２０へ入力されると、すなわち顔表情検出部２２が被写体画像データ中に変顔などの特定画像が含まれていることを検出すると、当該被写体画像の画像ファイルにタグ情報として、ディスプレイ１２に被写体画像を表示することを禁止するためのプロテクト情報を書き込む。また、プロテクト部２３は、上記の検出信号がＣＰＵ２０へ入力されない被写体画像については、プロテクトの必要がないことを示す非プロテクト情報を被写体画像データのタグ情報として画像ファイルに書き込む。
判別部２４は、各々の被写体画像データについてプロテクト情報と非プロテクト情報のうちいずれが付与されているかを判別する。
【００２７】
顔判定部２５は、顔検出部２１によって検出された被写体画像データ中の被写体人物の顔画像データと、観賞者撮像用カメラ１３によって撮影された観賞者の顔画像データとを比較し、被写体人物の顔と観賞者の顔が同一であるか否かを判定する。顔判定部２５は、両者が同一であると判定した場合には、同一判定信号をＣＰＵ２０へ送出する。
【００２８】
再生許可部２６は、同一判定信号が顔判定部２５からＣＰＵ２０へ入力されると、被写体画像データにプロテクト情報が付与されているにもかかわらず、その被写体画像データの再生表示を許可する。その結果、ディスプレイ１２に当該被写体画像データの再生表示を行うことができる。
【００２９】
このような再生許可動作が必要な理由は、観賞者と被写体画像中の被写体人物とが同一である場合に、観賞者は、自分自身が被写体となった画像にプロテクトがかかっていると、その画像を見ることができないという不都合を避けるためである。
【００３０】
同様に、撮影者は自分が撮影した被写体画像中の被写体人物ではないために、自分が撮影した被写体画像を見たくてもその被写体画像にプロテクトがかかっていると、その画像を見ることができない。このような場合に、撮影者の顔画像データを顔登録データ記憶部３４に保存しておき、撮影者が観賞者となり、観賞者の顔と登録された撮影者の顔とが一致したときに、再生許可部２６がその被写体画像データの再生表示を許可するようにすれば、撮影者は自分が撮影した被写体画像を見ることが可能になる。
【００３１】
顔登録指示部２７は、観賞者撮像用カメラ１３によって撮影された観賞者の顔画像データをバッファメモリ１７から読み出し、ＲＯＭ３１の顔登録データ記憶部３４に保存させる。前述したように、被写体画像の撮影者は、顔登録データ記憶部３４に自分の顔画像データを予め保存しておき、その登録顔データを用いることにより、プロテクトがかかっている被写体画像データであっても、再生許可部２６がその被写体画像データの再生表示を許可するようにできるので、自分が撮影した被写体画像を見ることができる。
【００３２】
以上のように構成されたデジタルフォトフレーム１の動作を図３、図４に示されるフローチャートを参照しながら説明する。デジタルフォトフレーム１の動作には、画像の再生表示を禁止するプロテクト動作と、プロテクトがかかっている画像データであっても、画像を表示させる再生表示動作とがある。
【００３３】
＜プロテクト動作＞
ユーザーがメモリカードＩ／Ｆ１１にメモリカード１００を装着すると、図３のステップＳ１１で、ＣＰＵ２０は、一連の被写体画像データをメモリカード１００からバッファメモリ１７へ転送する。
ステップＳ１２で、ユーザーは、操作部材１５を操作して、顔表情データ記憶部３３に記憶された顔表情候補の名称である「変顔」、「半目」、「目つぶり」、「大笑い顔」、「泣き顔」、「怒り顔」等が記載されたリストを画像表示領域１２ａに表示させ、選択部１５ａによってその顔表情候補から少なくとも１つの顔表情を選択する。なお、本実施の形態では、変顔と半目と目つぶりとの３つを選択部１５ａによって選択する。すなわち、ユーザーは、変顔、半目、目つぶりの顔パーツデータを特定画像として設定する。設定する特定画像は、少なくとも１つである。
【００３４】
ステップＳ１３で、ＣＰＵ２０は、バッファメモリ１７から一連の被写体画像データを順次読み出す。
ステップＳ１４で、顔検出部２１は、顔データ記憶部３２に予め記憶されている顔画像データを用いて各被写体画像データ中に被写体人物の顔があるか否かを順次検出する。
ステップＳ１４で、肯定判定の場合、すなわち顔検出部２１が被写体人物の顔を検出した場合は、ステップＳ１５へ移行し、顔表情検出部２２は、その被写体人物の顔画像データと、特定画像として設定された変顔、半目、目つぶりの各顔パーツデータとを比較する。
【００３５】
ステップＳ１６では、被写体人物の顔パーツの変形の一致度が所定値以上であるか否か、被写体人物の目が顔表情データ記憶部３３に記憶されている半目のデータと比べて一致の度合いが所定値以上であるか否か、また、被写体人物の目が顔表情データ記憶部３３に記憶されている目つぶりのデータと比べて一致の度合いが所定値以上であるか否かを検出する。
【００３６】
ステップＳ１６で、肯定判定の場合、すなわち、被写体人物の顔パーツの変形の一致度が所定値以上であることと、被写体人物の目が顔表情データ記憶部３３に記憶されている半目のデータと比べて一致の度合いが所定値以上であることと、被写体人物の目が顔表情データ記憶部３３に記憶されている目つぶりのデータと比べて一致の度合いが所定値以上であることとの少なくとも一つを検出した場合は、ステップＳ１７へ移行する。ステップＳ１７では、プロテクト部２３は、プロテクト情報を当該被写体画像データのタグ情報として画像ファイルに書き込み、ＣＰＵ２０は、このプロテクト情報が書き込まれた画像ファイルをバッファメモリ１７へ再度記憶させる。
【００３７】
一方、ステップＳ１４及びステップＳ１６で、否定判定の場合、ステップＳ１８へ移行し、プロテクト部２３は、プロテクトの必要がないことを示す非プロテクト情報を当該被写体画像データのタグ情報として画像ファイルに書き込み、ＣＰＵ２０は、この非プロテクト情報が書き込まれた画像ファイルをバッファメモリ１７へ再度記憶させる。
このようにして、一連の被写体画像データにプロテクト情報または非プロテクト情報が付与され、プロテクト動作は完了する。
【００３８】
＜再生表示動作＞
再生表示動作では、観賞者が操作部材１５を操作して被写体画像を表示させる再生モードとすると、デジタルフォトフレーム１は、プロテクト情報または非プロテクト情報が書き込まれた各被写体画像データについて以下の動作を行う。
図４のステップＳ２１で、観賞者が操作部材１５を操作して、画像を表示させる再生モードを開始させると、ＣＰＵ２０は、プロテクト情報または非プロテクト情報が書き込まれた一連の被写体画像データをバッファメモリ１７から順次読み出し、各被写体画像データについて以下の動作を行う。
【００３９】
ステップＳ２２で、観賞者撮像用カメラ１３は、観賞者の顔を撮影し、その顔画像データはバッファメモリ１７へ一時的に記憶される。ステップＳ２３で、ＣＰＵ２０は、バッファメモリ１７から一連の被写体画像データを順次読み出す。
ステップＳ２４で、判別部２４は、各々の被写体画像データについてプロテクト情報と非プロテクト情報のうちいずれが付与されているかを判別する。ここで、非プロテクト情報が付与されていると判別されると、ステップＳ２５へ移行し、その被写体画像データがディスプレイ１２に再生表示される。
【００４０】
一方、ステップＳ２４で、判別部２４により、プロテクト情報が付与されていると判別されると、ステップＳ２６へ移行する。ステップＳ２６では、顔判定部２５は、観賞者の顔画像データをバッファメモリ１７から読み出し、この観賞者の顔画像データと、プロテクト情報が付与されている被写体画像データ中の被写体人物の顔画像データとを比較し、観賞者の顔と被写体人物の顔とが同一であるか否かを判定する。
【００４１】
ステップＳ２６で、肯定判定の場合、すなわち顔判定部２５が、観賞者の顔と被写体人物の顔とが同一であると判定した場合は、ステップＳ２７へ移行し、再生許可部２６は、再生表示を禁止するためのプロテクト情報が付与されているにもかかわらず、当該被写体画像データの再生表示を許可する。その結果、ステップＳ２８では、ディスプレイ１２上に当該被写体画像データの再生表示が行われる。このように、観賞者と被写体人物とが同一人である場合は、画像表示を禁止するプロテクトがかかっていても画像を表示することができる。
【００４２】
一方、ステップＳ２６で否定判定の場合、観賞者が、顔登録データ記憶部３４に登録されている撮影者の登録顔データの読み出しを操作部材１５によって指示すると、ステップＳ２９で、顔判定部２５は、ステップＳ２２でバッファメモリ１７に記憶された観賞者の顔画像データと、撮影者の登録顔データとを比較し、観賞者の顔と撮影者の顔とが同一であるか否かを判定する。
【００４３】
ステップＳ２９で、肯定判定の場合、すなわち顔判定部２５が、観賞者の顔と撮影者の顔とが同一であると判定した場合は、ステップＳ３０へ移行し、再生許可部２６は、再生表示を禁止するためのプロテクト情報が付与されているにもかかわらず、当該被写体画像データの再生表示を許可する。その結果、ステップＳ３１では、ディスプレイ１２上で当該被写体画像データの再生表示が行われる。このように、観賞者と顔登録データ記憶部３４に顔画像データが登録されている撮影者とが同一人である場合は、画像表示を禁止するプロテクトがかかっていても画像を表示することができる。
【００４４】
一方、ステップＳ２９で否定判定の場合は、ステップＳ３２へ移行し、当該被写体画像データの再生表示は禁止されたままである。従って、変顔、半目、目つぶりが検出された被写体画像データの再生表示は行われない。
【００４５】
第１の実施の形態のデジタルフォトフレーム１によれば、次の作用効果を奏する。
（１）顔表情検出部２２が、被写体画像データ中の顔画像データがユーザー設定による変顔、半目、目つぶり等の特定画像（顔パーツデータ）に相当することを検出すると、ディスプレイ１２に当該被写体画像を表示させないためのプロテクトをかけるので、ユーザーにとって他人には見せたくない顔画像を他人に見られるという心配がない。
【００４６】
（２）顔判定部２５が観賞者の顔と被写体人物の顔とが同一であると判定した場合は、再生許可部２６は、再生表示を禁止するためのプロテクト情報が付与されているにもかかわらず、当該被写体画像データの再生表示を許可するので、被写体人物本人が観賞者である場合に限り、自分が写っている当該被写体画像を見ることができる。
（３）顔判定部２５が観賞者の顔と登録されている撮影者の顔とが同一であると判定した場合は、再生許可部２６は、再生表示を禁止するためのプロテクト情報が付与されているにもかかわらず、当該被写体画像データの再生表示を許可するので、撮影者が観賞者である場合に限り、撮影者は自分が撮影した当該被写体画像を見ることができる。
【００４７】
第１の実施の形態の変形例は以下の通りである。
（１）本実施の形態では、ステップＳ２６で、観賞者と被写体人物とが同一人であるか否かを判定し、否定判定の場合は、ステップＳ２９へ移行して観賞者と撮影者とが同一人であるか否かを判定するものであったが、ステップＳ２９の動作を省略し、ステップＳ２６で否定判定ならば直接にステップＳ３２へ移行し、当該被写体画像データの再生表示を禁止してもよい。
また、反対に、ステップＳ２６の動作を省略し、ステップＳ２４でプロテクト情報ありならば直接にステップＳ２９へ移行するようにしてもよい。
【００４８】
（２）観賞者撮像用カメラ１３によって複数の観賞者が撮影され、顔判定部２５が、複数の観賞者の一人が、変顔、半目、または目つぶりであることが検出された被写体人物と一致していると判定した場合は、その被写体人物が写っておりプロテクト情報が付与されている被写体画像データは無条件で再生表示を禁止するようにする。このようにすれば、当該観賞者もその被写体画像を見ることはできないが、他の観賞者にもその被写体画像を見られる心配はなくなる。
【００４９】
（３）本実施の形態のデジタルフォトフレーム１では、画像取得手段としてメモリカードＩ／Ｆ１１を備え、メモリカード１００から画像データを取得するものであったが、デジタルフォトフレーム１が撮像機能を有し、デジタルフォトフレーム１が撮像した画像データを取得するようにしてもよい。
（４）画像取得手段としてはメモリカードＩ／Ｆ１１に限らず、有線、無線の情報取得手段を用いることができる。
【００５０】
（５）本実施の形態のプロテクト情報とは、プロテクト情報が付与された被写体画像データの再生表示を禁止するものであったが、それだけではなく、プロテクトがかかっている被写体画像に黒画像を重畳させることによって、当該被写体画像を実質的に表示させないような画像処理を施すためのタグ情報を含むものでもよい。
また、プロテクト情報が付与された被写体画像データの再生表示を禁止する代わりに、少なくとも特定画像の部分に対してはモザイクを掛ける処理を施すようにしてもよい。
【００５１】
−第２の実施の形態−
本発明の第２の実施の形態による画像再生装置は、デジタルフォトフレームであり、図１に示したデジタルフォトフレーム１と同一の外観を呈する。
図５は、デジタルフォトフレーム２の主要部の構成を示す。図５に示すデジタルフォトフレーム２には、図２に示したデジタルフォトフレーム１の構成に対して、特定画像設定部１８と特定画像検出部２８とが追加されている。特定画像検出部２８は、ＣＰＵ２０Ａの構成部分である。
【００５２】
第２の実施の形態のデジタルフォトフレーム２は、多数の被写体画像データを再生表示する際に、例えば特定の人物や特定の物体が写っている被写体画像データが比較的多数存在する場合に、それらの特定の人物や特定の物体を含む被写体画像データについて簡単に再生表示を禁止することができるものである。
【００５３】
第２の実施の形態においては、第１の実施の形態で説明した構成と同一の構成については説明を省略し、上記の特定画像設定部１８及び特定画像検出部２８について説明する。
特定画像設定部１８は、ユーザー操作によって、ディスプレイ１２の画像表示領域１２ａに再生表示された画像中から画像全体の一部分である部分画像を抽出するものである。この部分画像とは、ユーザーにとっては他人には見せたくない画像であり、特定の人物や特定の物体である。部分画像データは、バッファメモリ１７に一時的に記憶される。
【００５４】
特定画像検出部２８は、特定画像設定部１８により抽出された部分画像、すなわち特定画像に基づいて、メモリカードＩ／Ｆ１１から画像記録部１６のメモリ１６ａへ入力された画像データ中にその特定画像に相当するデータが存在することを検出する。このように、特定画像はテンプレートとして機能する。
【００５５】
図６を参照しながらプロテクト動作について説明する。
第１の実施の形態のプロテクト動作は、顔表情検出部２２が、被写体画像データの被写体人物の顔画像データについて「変顔」、「半目」、「目つぶり」などを検出すると、その被写体画像データに対してプロテクト情報を付与するものであったが、第２の実施の形態のプロテクト動作は、ユーザー操作によって被写体画像中の部分画像を特定画像として設定し、特定画像検出部２８が、他の被写体画像データにも特定画像の存在を検出すると、その被写体画像データに対してプロテクト情報を付与するものである。
【００５６】
＜プロテクト動作＞
図６のフローチャートを参照すると、ユーザーがメモリカードＩ／Ｆ１１にメモリカード１００を装着すると、ステップＳ４１で、ＣＰＵ２０Ａは、複数の被写体画像データ（例えば、被写体画像１００枚）をメモリカード１００からバッファメモリ１７へ転送する。
ステップＳ４２で、ＣＰＵ２０Ａは、バッファメモリ１７から１００枚分の被写体画像データを読み出す。ステップＳ４３で、ＣＰＵ２０Ａは、これら１００枚の被写体画像を所定枚数づつディスプレイ１２にサムネイル一覧表示させる。
【００５７】
ステップＳ４４で、ユーザーは、サムネイル表示された画像の中から他人には見せたくない問題箇所がある被写体画像を発見すると、特定画像設定部１８を操作することによって、その被写体画像中の問題箇所である部分画像を特定画像として抽出する。この特定画像は、他の被写体画像中に同様の部分画像が存在するか否かを検出するためのテンプレートとして用いるものであり、バッファメモリ１７に一時的に記憶される。
なお、被写体画像を所定枚数づつサムネイル一覧表示させる代わりに、複数の被写体画像を順次１枚づつディスプレイ１２に表示させて、特定画像の抽出動作を行ってもよい。
【００５８】
ステップＳ４５で、特定画像検出部２８は、１００枚分の被写体画像データについてテンプレートに相当する部分画像データが存在するか否かを検出する。その結果、１００枚分の被写体画像データは、テンプレートに相当する部分画像データが存在するグループＡと、そのような部分画像データが存在しないグループＢとのいずれかに分けられる。
【００５９】
ステップＳ４６では、プロテクト部２３は、グループＡに入った各々の被写体画像データに対しては、プロテクト情報を当該被写体画像データのタグ情報として画像ファイルに書き込む。また、プロテクト部２３は、グループＢに入った各々の被写体画像データに対しては、プロテクトの必要がないことを示す非プロテクト情報を当該被写体画像データのタグ情報として画像ファイルに書き込む。ＣＰＵ２０Ａは、プロテクト情報が書き込まれた画像ファイル及び非プロテクト情報が書き込まれた画像ファイルをバッファメモリ１７へ再度記憶させる。
このようにして、一連の被写体画像データにプロテクト情報または非プロテクト情報が付与され、プロテクト動作は完了する。
【００６０】
第２の実施の形態においても、プロテクト動作完了後に、図４のフローチャートで示されている再生表示動作を実施することができる。詳細な説明は重複するので省略するが、図４に示されているように、画像の再生表示を禁止するプロテクトがかかっている被写体画像データであっても、被写体人物本人が観賞者であるか又は撮影者が観賞者である場合に限り、当該被写体画像データの再生表示を許可する。
【００６１】
第２の実施の形態のデジタルフォトフレーム２によれば、次の作用効果を奏する。
（１）ユーザーは、特定画像設定部１８を操作することによって被写体画像中の部分画像を特定画像として抽出し、特定画像検出部２８が、被写体画像中にこの特定画像に相当する部分画像が存在することを検出すると、プロテクト部２３が、ディスプレイ１２に当該被写体画像を表示させないためのプロテクトをかけるので、ユーザーにとって他人には見せたくない画像を他人に見られるという心配がない。
【００６２】
（２）顔判定部２５が観賞者の顔と被写体人物の顔とが同一であると判定した場合は、再生許可部２６は、再生表示を禁止するためのプロテクト情報が付与されているにもかかわらず、当該被写体画像データの再生表示を許可するので、被写体人物本人が観賞者である場合に限り、自分が写っている当該被写体画像を見ることができる。
（３）顔判定部２５が観賞者の顔と登録されている撮影者の顔とが同一であると判定した場合は、再生許可部２６は、再生表示を禁止するためのプロテクト情報が付与されているにもかかわらず、当該被写体画像データの再生表示を許可するので、撮影者が観賞者である場合に限り、撮影者は自分が撮影した当該被写体画像を見ることができる。
【００６３】
第２の実施の形態のデジタルフォトフレーム２では、第１の実施の形態のデジタルフォトフレーム１の構成に対して、特定画像設定部１８と特定画像検出部２８とが追加されているので、第１の実施の形態のプロテクト動作も第２の実施の形態のプロテクト動作も可能である。また、第２の実施の形態のデジタルフォトフレーム２の構成から、顔検出部２１、顔表情検出部２２、顔データ記憶部３２、顔表情データ記憶部３３、選択部１５ａを取り除いて、第２の実施の形態のプロテクト動作に特化したデジタルフォトフレームも本発明の範疇である。
【００６４】
第２の実施の形態の変形例も、第１の実施の形態の変形例と同様である。
本発明は、その特徴を損なわない限り、以上説明した実施の形態に何ら限定されるものではない。
【符号の説明】
【００６５】
１、２：デジタルフォトフレーム      １１：画像取得部（メモリカードＩ／Ｆ）
１２：ディスプレイ                  １３：観賞者撮像用カメラ
１５：操作部材                      １５ａ：選択部
１６：画像記録部                    １８：特定画像設定部
２０、２０Ａ：ＣＰＵ                ２１：顔検出部
２２：顔表情検出部                  ２３：プロテクト部
２４：判別部                        ２５：顔判定部
２６：再生許可部                    ２７：顔登録指示部
２８：特定画像検出部                ３０：バス
３１：ＲＯＭ                        ３２：顔データ記憶部
３３：顔表情データ記憶部            ３４：顔登録データ記憶部
【図１】
2014207602.tif 000003
【図２】
2014207602.tif 000004
【図３】
2014207602.tif 000005
【図４】
2014207602.tif 000006
【図５】
2014207602.tif 000007
【図６】
2014207602.tif 000008